(57)【要約】【課題】製造コストが安く、しかも、文字・記号・図形の周囲を広い範囲で照光することにより文字等を暗がりでも容易に識別できる照光式ツマミを提供する。【解決手段】透光性樹脂で形成され、正面に文字、記号及び／又は図形１ｃ、１ｃ…が表示され、背後から照光される照光式ツマミにおいて、操作パネル前面に装着したとき表側に見える部分の全面に施された塗装１ａの前記文字、記号及び／又は文字１ｃ、１ｃ…の周囲の部分をレーザ照射により除去した。【選択図】図１
2009266709.tif 000002
【特許請求の範囲】
【請求項１】
透光性樹脂で形成され、正面に文字、記号及び／又は図形が表示され、背後から照光される照光式ツマミにおいて、操作パネル前面に装着したとき表側に見える部分の全面に施された塗装の前記文字、記号及び／又は文字の周囲の部分をレーザ照射により除去したことを特徴とする照光式ツマミ。
【請求項２】
操作パネル前面に装着したとき表側に見える部分の下端部周囲にフランジが形成されている請求項１の照光式ツマミ。
【発明の詳細な説明】
【技術分野】
【０００１】
この発明は電子機器に係わり、特に、その照光式ツマミに関する。
【背景技術】
【０００２】
従来から電子機器を操作するためのツマミとして、機能を表示する文字、記号等が暗がりでも識別しやすいように背後から照光する照光式ツマミが用いられていた。図３にそのような従来の照光式ツマミの例を示している。
【０００３】
図３に示す照光式ツマミ４は、操作パネル前面に配置され、操作パネル内に配置された光源２により照光される。照光式ツマミ４の背後には、図示していないスイッチを作動させる作動杆や作動範囲を規制するフック等が設けられ、図示していないばねにより操作パネルの前方向に付勢される。
【０００４】
照光式ツマミ４は透光性樹脂で形成され、操作パネル前面に見える部分の下端部周囲にはフランジ４ｃが形成されている。この操作パネル前面に見える部分には塗装４ａが施され、塗装４ａがレーザ照射により焼き切られたレーザ抜きにより、文字４ｂ、４ｂ…が形成されている。文字４ｂ、４ｂ…を光源２から放射された光が透過することにより、文字が浮き上がり、暗がりでも文字を識別できる。
【０００５】
この図３に示す従来の照光式ツマミは、小さいツマミでは、文字等も小さくなり、ツマミを透過する光の量も少なくなるため、暗がりではツマミの位置の判別や文字等の識別が困難となるという問題があった。
【０００６】
図４に示す従来の照光式ツマミ５は、操作パネル前面に配置され、操作パネル内に配置された光源２により照光される。照光式ツマミ５の背後には、図示していないスイッチを作動させる作動杆や作動範囲を規制するフック等が設けられ、図示していないばねにより操作パネルの前方向に付勢される。
【０００７】
照光式ツマミ５は透光性樹脂で形成され、操作パネル前面に見える部分の下端部周囲にはフランジ５ｂが形成されている。この照光式ツマミ５の正面部分には印刷が施され、中央よりの印刷部５ａ、５ａ…には文字が現れ、周辺部の印刷部５ａは枠形状となっている。文字となっている印刷部５ａ、５ａ…の周囲を透過した光源２よりの光により使用者は文字を識別できる。
【０００８】
この図４に示す従来の照光式ツマミは、下端部周囲のフランジ５ｂや側面も光を透過させる。フランジ５ｂは正面部分に比べて肉厚が薄いため、光を多く透過させる。この光量の差は光むらを生じさせ、デザインとして好ましいものではなかった。
【０００９】
実開平３−１３１０２８号公報に開示された従来の照光式ツマミは、文字が印刷された薄色の樹脂フィルム２を、雌型３のキャビティ３ａ、３ｂ…の位置に文字２ａ、２ｂ…を位置合わせして、雌型３と雄型４とで挟み込む。その後、雄型４のランナーに（透光性）樹脂を高温・高圧で送り込むことにより透光部１の表面に文字２ａ、２ｂ…の印刷された樹脂フィルム２が溶着した状態の照光式ツマミＮが得られる。
【００１０】
この照光式ツマミは文字の周囲を広い範囲で照光することができるので、使用者は文字を識別できる。しかしながら、透光性樹脂を高温・高圧で雌型３と雄型４の間に送り込む前に樹脂フィルム２を位置合わせして雌型３と雄型４の挟み込む作業が面倒であり、また、文字の位置がずれて不良品が発生することもあり、製造コストが高くなるという問題があった。
【特許文献１】実開平３−１３１０２８号公報、明細書第３頁３行〜第４頁１２行、第１図、第２図
【発明の開示】
【発明が解決しようとする課題】
【００１１】
この発明は上記した点に鑑みてなされたものであって、その目的とするところは、製造コストが安く、しかも、文字・記号・図形の周囲を広い範囲で照光することにより文字等を暗がりでも容易に識別できる照光式ツマミを提供することにある。
【課題を解決するための手段】
【００１２】
この発明の照光式ツマミは、透光性樹脂で形成され、正面に文字、記号及び／又は図形が表示され、背後から照光される照光式ツマミにおいて、操作パネル前面に装着したとき表側に見える部分の全面に施された塗装の前記文字、記号及び／又は文字の周囲の部分をレーザ照射により除去したものである。
【００１３】
また、前記照光式ツマミにおいて、操作パネル前面に装着したとき表側に見える部分の下端部周囲にフランジが形成されているものである。
【発明の効果】
【００１４】
この発明の照光式ツマミによれば、製造コストが安く、しかも、文字・記号・図形の周囲を広い範囲で照光するため、文字等を暗がりでも容易に識別できる。
【発明を実施するための最良の形態】
【００１５】
以下この発明を実施するための最良の形態を実施例に即して説明する。
【実施例１】
【００１６】
図１はこの発明の実施例１である照光式ツマミを示す斜視図である。図１に示す照光式ツマミ１は、操作パネル前面に配置され、操作パネル内に配置された光源２により照光される。照光式ツマミ１の背後には、図示していないスイッチを作動させる作動杆や作動範囲を規制するフック等が設けられ、図示していないばねにより操作パネルの前方向に付勢される。
【００１７】
照光式ツマミ１は透光性樹脂で形成され、操作パネル前面に見える部分の下端部周囲にはフランジ１ｄが形成されている。この照光式ツマミ１の操作パネル前側に見える部分は塗装１ａが施されている。照光式ツマミ１の正面部分の塗装１ａは文字１ｃ、１ｃ…と周辺の枠の部分を残してレーザ照射により除去される。
【００１８】
すなわち、文字１ｃ、１ｃ…の周囲の透光部１ｂは光を透過するので広い範囲で照明され、照光式ツマミ１の位置の判別や文字１ｃ、１ｃ…の識別が暗がりでも容易に行える。そして、フランジ１ｄや照光式ツマミ１の側面は光を透過しないので光むらが発生しないまた、光漏れが少ないからエネルギー使用効率が向上する。この実施例では下端部周囲にはフランジ１ｄが形成されているので、照光式ツマミ１を指で押し込んだ位置が安定する。
【実施例２】
【００１９】
図２はこの発明の実施例２である照光式ツマミを示す斜視図である。図２に示す照光式ツマミ３は、操作パネル前面に配置され、操作パネル内に配置された光源２により照光される。照光式ツマミ３の背後には、図示していないスイッチを作動させる作動杆や作動範囲を規制するフック等が設けられ、図示していないばねにより操作パネルの前方向に付勢される。
【００２０】
照光式ツマミ３は透光性樹脂で形成され、操作パネル前側に見える部分は塗装３ａが施されている。照光式ツマミ３の正面部分の塗装３ａは文字３ｃ、３ｃ…と周辺の枠の部分を残してレーザ照射により除去される。
【００２１】
すなわち、文字３ｃ、３ｃ…の周囲のレーザ抜きにより形成された透光部３ｂは光を透過するので広い範囲で照明され、照光式ツマミ３の位置の判別や文字３ｃ、３ｃ…の識別が暗がりでも容易に行える。この実施例では下端部周囲にはフランジが形成されていないので、操作パネル前面を占める面積が狭く、狭い操作パネルでも多くの照光式ツマミ３を配置することができる。
【００２２】
上記いずれの実施例においても、照光式ツマミの正面の広い範囲が光を透過させるので、単位面積当たりの透過光量を少なくしてもよく、光源２の消費電力を少なくすることができる。また、塗装が残る文字の幅が狭く、剥離しやすくなる場合は、透明樹脂の塗装やフイルム貼付けにより文字の剥離を防止すればよい。
【００２３】
実施例は以上のように構成されているが発明はこれに限られず、例えばプッシュ式のツマミに限られず、回転式のツマミにこの発明を適用することも可能である。
【図面の簡単な説明】
【００２４】
【図１】この発明の実施例１である照光式ツマミを示す斜視図である。
【図２】この発明の実施例２である照光式ツマミを示す斜視図である。
【図３】従来の照光式ツマミの例を示す斜視図である。
【図４】従来の照光式ツマミの例を示す斜視図である。
【符号の説明】
【００２５】
１  照光式ツマミ、１ａ  塗装、１ｂ  透光部、１ｃ  文字、１ｄ  フランジ
２  光源
３  照光式ツマミ、３ａ  塗装、３ｂ  透光部、３ｃ  文字
４  照光式ツマミ、４ａ  塗装、４ｂ  文字、４ｃ  フランジ
５  照光式ツマミ、５ａ  印刷部、５ｂ  フランジ
【図１】
2009266709.tif 000003
【図２】
2009266709.tif 000004
【図３】
2009266709.tif 000005
【図４】
2009266709.tif 000006